(57)【要約】【課題】  中継装置の日報データの通信中等においても、すみやかに警報を知らせるように改善した監視システム及び監視端末と中継装置を提供する。【解決手段】  監視対象設備５０４を監視する監視端末５０２と、監視端末５０２と無線で通信する中継装置４０２とからなり、監視対象設備５０４の日常データ及び警報発生と警報復旧の通報により監視するシステムにおいて、監視端末５０２は、日常データ中に監視対象設備５０４の警報状態を示すデータを混在させて送信する手段と、日常データを現在値データに切り替えて送信する手段とを有し、中継装置４０２は、日常データ中に混在した警報状態を示すデータの変化を検出する手段と、警報状態を示すデータの変化を検出して監視端末５０２に対し現在値データを送信するよう指示する手段とを有する。【選択図】        図１
2006033491.tif 000002
【特許請求の範囲】
【請求項１】
監視対象の設備の状態を監視する監視端末と、該監視端末と無線で通信する中継装置とからなり、前記監視対象の設備の日常データ及び警報発生と警報復旧の通報により監視するシステムにおいて、
前記監視端末は、日常データ中に監視対象の設備の警報状態を示すデータを混在させて送信する手段と、日常データを現在値データに切り替えて送信する手段とを有しており、前記中継装置は、監視端末から受信した日常データ中に混在した警報状態を示すデータの変化を検出する手段と、警報状態を示すデータの変化を検出して該監視端末に対し現在値データを送信するよう指示する手段とを有することを特長とする監視システム。
【請求項２】
無線装置を利用して通信するための手段と通信プログラムを実行するためのＣＰＵと通信プログラムを実行するためのメモリと記憶装置とを備え、中継装置に対し、監視対象の設備の日常データを送信し警報発生と警報復旧を通報する監視端末において、
日常データ中に監視対象の設備の警報状態を示すデータを混在させて送信する手段と、前記中継装置から現在値データの送信の指示を受けて日常データを現在値データに切り替えて送信する手段とを有することを特長とする監視端末。
【請求項３】
無線装置を利用して通信するための手段と通信プログラムを実行するためのＣＰＵと通信プログラムを実行するためのメモリと記憶装置とを備え、監視端末から監視対象の設備の日常データ及び警報発生と警報復旧の通報を受信する中継装置において、
前記監視端末から受信した日常データ中に混在した警報状態を示すデータの変化を検出する手段と、警報状態を示すデータの変化を検出して前記監視端末に対し現在値データを送信するよう指示する手段とを有することを特長とする中継装置。
【請求項４】
監視対象の設備の状態を監視する監視端末と、該監視端末と無線で通信する中継装置と、該中継装置と通信する監視装置とからなり、前記監視対象の設備の日常データ及び警報発生と警報復旧の通報により監視するシステムにおいて、
前記監視装置は、前記中継装置に対して監視対象の設備の現在値データを監視端末から受信するよう指示する手段を有しており、中継装置は、前記監視端末から受信した日常データ中に混在した警報状態を示すデータの変化を検出する手段と、警報状態を示すデータの変化を検出し又は監視装置からの指示を受けて監視端末に対し現在値データを送信するよう指示する手段と、該監視端末から受信した現在値データを監視装置に送信する手段とを有しており、前記監視端末は、日常データ中に監視対象の設備の警報状態を示すデータを混在させて送信する手段と、前記中継装置からの指示を受けて日常データから現在値データに切り替えて送信する手段とを有することを特長とする監視システム。
【請求項５】
無線装置を利用して通信するための手段と通信プログラムを実行するためのＣＰＵと通信プログラムを実行するためのメモリと記憶装置とを備え、監視端末から監視対象の設備の日常データ及び警報発生と警報復旧の通報を受信するとともに、監視装置と通信する中継装置において、
前記監視端末から受信した日常データ中に混在した警報状態を示すデータの変化を検出する手段と、警報状態を示すデータの変化を検出し又は前記監視装置からの指示を受けて監視端末に対して現在値データを送信するよう指示する手段と、該監視端末から受信した現在値データを前記監視装置に送信する手段とを有することを特長とする中継装置。
【発明の詳細な説明】
【技術分野】
【０００１】
本発明は、監視システム及び監視端末と中継装置であり、特に上下水道の給水、配水設備や、産業用の生産設備、販売データ収集設備等を監視する技術に関する。
【背景技術】
【０００２】
従来から、監視端末と監視装置が通信して設備を監視するシステムが知られている。従来の監視システムの例には、特許文献１などがある。これらの監視システムでは、監視対象の設備と、中央などの監視装置とを電話回線を含む通信を介して、情報の送受信、制御などの監視を行うものである。電話回線を敷設するので、地理的条件によっては、電話回線の敷設が必ずしも容易ではない場合もあり、また、電話回線のメンテナンスが必要となることもある。
【特許文献１】特開２００１−１７７６５７号公報
【発明の開示】
【発明が解決しようとする課題】
【０００３】
従来のシステムに対し、通信インフラに無線接続を含むシステムを構成することが出来る。例えば、地域情報ネットワークを活用し、この地域情報ネットワークに接続される中継装置を設け、前記中継装置と監視対象設備を監視する監視端末とを無線接続する。前記監視端末は、更に他の監視端末と無線で直列に接続されるようにする。この無線接続により、電話回線を敷設すること等で生ずる問題は改善されるものとなる。
【０００４】
ところで、上記監視端末の内で異常が発生した場合に、この異常を中継装置に警報として、知らせることを一般的に行うものである。しかしながら、前記中継装置と例えばデータ量の大きい日報データを通信すると、監視端末の数量によっては、日報データを取得するために、長い時間を要する場合がある。従って、この日報データの通信中には、前記中継装置に警報を知らせることが出来ず、日報データの通信終了迄待たなければならず、監視対象の警報の発生を短時間に知ることができず、問題となる。
【０００５】
よって、本発明では、例えば、前記中継装置の日報データの通信中等においても、前記中継装置にすみやかに警報を知らせるように改善した監視システム及び監視端末と中継装置を提供することを目的とする。
【課題を解決するための手段】
【０００６】
上記の目的を達成する為に、本発明においては、以下のように対応を図るものとする。前記中継装置と監視端末との例えば日報データの通信において、監視端末の側で監視端末データの中に、警報の発生や復旧の状態を示すデータを含ませるものとする。前記中継装置は、取得した監視端末データに警報の発生を示すデータの有無を確認し、警報の発生を示すデータが確認された場合には、警報を発することとなった異常のある監視端末から、異常の状態などの情報を取得、若しくは制御などの処理を行うものとする。
【０００７】
すなわち、本発明は、監視対象の設備の状態を監視する監視端末と、該監視端末と無線で通信する中継装置とからなり、前記監視対象の設備の日常データ及び警報発生と警報復旧の通報により監視するシステムにおいて、前記監視端末は、日常データ中に監視対象の設備の警報状態を示すデータを混在させて送信する手段と、日常データを現在値データに切り替えて送信する手段とを有しており、前記中継装置は、監視端末から受信した日常データ中に混在した警報状態を示すデータの変化を検出する手段と、警報状態を示すデータの変化を検出して該監視端末に対し現在値データを送信するよう指示する手段とを有する監視システムである。
【０００８】
また、本発明は、無線装置を利用して通信するための手段と通信プログラムを実行するためのＣＰＵと通信プログラムを実行するためのメモリと記憶装置とを備え、中継装置に対し、監視対象の設備の日常データを送信し警報発生と警報復旧を通報する監視端末において、日常データ中に監視対象の設備の警報状態を示すデータを混在させて送信する手段と、前記中継装置から現在値データの送信の指示を受けて日常データを現在値データに切り替えて送信する手段とを有する監視端末である。
【０００９】
そして、本発明は、無線装置を利用して通信するための手段と通信プログラムを実行するためのＣＰＵと通信プログラムを実行するためのメモリと記憶装置とを備え、監視端末から監視対象の設備の日常データ及び警報発生と警報復旧の通報を受信する中継装置において、前記監視端末から受信した日常データ中に混在した警報状態を示すデータの変化を検出する手段と、警報状態を示すデータの変化を検出して前記監視端末に対し現在値データを送信するよう指示する手段とを有する中継装置である。
【００１０】
更に、本発明は、監視対象の設備の状態を監視する監視端末と、該監視端末と無線で通信する中継装置と、該中継装置と通信する監視装置とからなり、前記監視対象の設備の日常データ及び警報発生と警報復旧の通報により監視するシステムにおいて、前記監視装置は、前記中継装置に対して監視対象の設備の現在値データを監視端末から受信するよう指示する手段を有しており、中継装置は、前記監視端末から受信した日常データ中に混在した警報状態を示すデータの変化を検出する手段と、警報状態を示すデータの変化を検出し又は監視装置からの指示を受けて監視端末に対し現在値データを送信するよう指示する手段と、該監視端末から受信した現在値データを監視装置に送信する手段とを有しており、前記監視端末は、日常データ中に監視対象の設備の警報状態を示すデータを混在させて送信する手段と、前記中継装置からの指示を受けて日常データから現在値データに切り替えて送信する手段とを有する監視システムである。
【００１１】
また、本発明は、無線装置を利用して通信するための手段と通信プログラムを実行するためのＣＰＵと通信プログラムを実行するためのメモリと記憶装置とを備え、監視端末から監視対象の設備の日常データ及び警報発生と警報復旧の通報を受信するとともに、監視装置と通信する中継装置において、前記監視端末から受信した日常データ中に混在した警報状態を示すデータの変化を検出する手段と、警報状態を示すデータの変化を検出し又は前記監視装置からの指示を受けて監視端末に対して現在値データを送信するよう指示する手段と、該監視端末から受信した現在値データを前記監視装置に送信する手段とを有する中継装置である。
【発明の効果】
【００１２】
本発明によれば、前記中継装置と前記監視端末とが、例えば日報データの通信中であっても、監視端末からの警報等を前記中継装置に速やかに知らせることが出来るように改善されるものである。
【発明を実施するための最良の形態】
【００１３】
本発明を実施するための最良の形態を説明する。
本発明の監視システム及び監視端末と中継装置の実施例について、図面を用いて説明する。図１は、実施例１、２の監視システム全体の構成を示す。図２は、実施例１の監視装置、中継装置、監視端末のブロック図を示す。図３は、実施例１における無線通信のデータの一例を示す。図４は、実施例１における警報状態データが警報の発生と復旧ごとに取る値の一例を示す。図５は、実施例１における中継装置のプログラムの日報取得中の動作のフローチャートの一例を示す。図６は、実施例１における監視端末のプログラムの日報取得中の動作のフローチャートの一例を示す。図７は、実施例２における中継装置プログラムの日報取得中に現在値を取得する場合のフローチャートの一例を示す。図８は、実施例２における中継装置プログラムの日報取得中に制御動作をする場合のフローチャートの一例を示す。
【実施例１】
【００１４】
実施例１を説明する。図１は本実施例の監視システム全体の構成を示す。監視室に設置された監視装置１０２は、メディアコンバータ１０３を使用し、通信ケーブル３００を介して中継装置４０２、・・・と通信し、監視対象の設備５０４、・・・の運転状態を監視する。監視装置１０２は、インターネット２００、メール通報２０１を利用することができる。監視クライアント１００、１０１は、監視装置１０２内のデータをクライアントとして表示する装置である。
【００１５】
中継装置４０２、・・・は、監視装置１０２と監視端末５０２、・・・が通信するためにデータを中継するとともに、無線通信をケーブル３００での通信に変換し、そして、監視端末５０２、・・・内のデータを収集して、一時的に保存する機能がある。中継装置４０２、・・・は、メディアコンバータ１０３、４０１、・・・及び通信ケーブル（光ケーブルや、電話回線など）３００を介して、監視装置１０２と通信する。また、中継装置４０２、・・・は、無線装置４０３、・・・を利用して無線方式で監視端末５０２、・・・と通信する。そして、中継装置４０２、・・・は、監視端末５０２、・・・から受信した日常データ中に混在した警報状態を示すデータの変化を検出する手段と、警報状態を示すデータの変化を検出して監視端末５０２、・・・に対し現在値データを送信するよう指示する手段とを有する。これらの手段は、コンピュータ・ソフトウエアで実現することができる。なお、メディアコンバータ及び無線装置を一体化した中継装置とすることも可能である。
【００１６】
監視端末５０２、・・・は、監視対象設備５０４、・・・からのデータを、入出力装置５０３、・・・を介して受取り、無線装置５０１、・・・を使用して中継装置４０２、・・・に送信する。そして、監視端末５０２、・・・は、日常データ中に監視対象の設備の警報状態を示すデータを混在させて送信する手段と、中継装置４０２、・・・から現在値データの送信の指示を受けて日常データを現在値データに切り替えて送信する手段とを有する。これらの手段は、コンピュータ・ソフトウエアで実現することができる。なお、入出力装置及び無線装置を一体化した監視装置とすることも可能である。
【００１７】
無線方式は通信可能な距離が限られているため、遠距離にある監視端末５０２、・・・と監視装置１０２が通信する際の長距離の区間は通信ケーブル３００を利用して中継装置４０２、・・・と通信し、中継装置４０２、・・・のまわりの個々の監視対象を結ぶエリアを無線で通信する。その際、監視端末５０２、・・・からのデータは、一旦、中継装置４０２、・・・に集められ、中継装置４０２、・・・から監視装置１０２に送信される。中継装置４０２、・・・は、通信手段を無線方式からケーブル利用方式へ、及びその逆を変換するため、１台の中継装置４０２、・・・に複数種類の通信手段を持つ。また、中継装置４０２、・・・は複数の無線装置５０１、・・・と接続する構成とし、より多くの監視端末５０２、・・・と通信する構成としても良い。
【００１８】
図２に監視装置、中継装置、監視端末のブロック図を示す。監視装置１０２は、図２（ａ）に示すように、通信制御部１１１を経由し、メディアコンバータ１０３、通信ケーブル３００を介して中継装置４０２、・・・と通信する。また、ＬＡＮ経由で監視クライアント１００と通信する。
【００１９】
中継装置４０２は、図２（ｂ）に示すように、無線装置４０３と接続する通信制御（その１）無線制御部４１１とメディアコンバータ４０１経由で通信ケーブル３００と接続する通信制御（その２）ケーブル接続部４１３を持つ。これにより無線と通信ケーブルの２系統の通信を中継する。無線用の通信制御部を複数持ち、中継装置に接続する無線装置を増やすことで、１台の中継装置４０２が中継する監視端末を増やす場合もある。
【００２０】
監視端末５０２は、図２（ｃ）に示すように、無線装置５０１と接続する通信制御無線制御部５１１と、入出力装置５０３を介して監視対象設備５０４の信号を入力する設備監視部５１３を持つ。
【００２１】
この監視システムには、基本的な３種の基本的な機能がある。
１．現在値表示機能：監視対象の設備５０４のリアルタイムのデータを監視装置１０２の画面上に表示する。
２．警報表示機能：監視対象の設備５０４に警報が発生すると、監視装置１０２に設備の警報状態を表示して、管理者に知らせる。
３．運転記録機能：監視対象の設備５０４の運転状態を記録する。このために、監視装置１０２は、監視端末５０２、・・・内に保存されている運転記録（日報など）を収集し、保存する。
これらの機能は監視装置１０２と監視端末５０２、・・・が通信することによって得られる。
【００２２】
監視システムの３種の機能は、次のように実現される。
１．現在値表示機能により、監視端末内の現在値データを監視装置の画面上に表示する。現在値のデータには、デジタルデータとアナログデータがある。デジタルデータとしは、監視対象設備内の個々の機器の運転、故障信号のオン、オフ信号がある。アナログデータとしては、水位、ポンプ電流などがある。これらのデータを監視端末からオンラインで監視装置が取得して監視装置上に表示する。
２．警報表示機能は、監視端末内の現在値データのうち、デジタルデータで警報信号と設定されたデータが監視端末からオンラインで監視装置が取得した時に警報内容を監視装置画面上に表示する機能である。
３．運転記録機能により、監視対象の運転記録（信号がオンやオフになった時刻の履歴、アナログ信号の時間に対するトレンドデータなど）を監視端末内に保存しておき、通常、１日に１回、監視装置が監視端末を巡回して、そのデータを収集する。データ量が大きく、監視端末の数が多いため、運転記録を取得完了するまで時間が長い。
【００２３】
ここで、１日に１回監視装置が監視端末を巡回して、運転記録データを収集する間に、監視対象の設備で警報が発生した場合に、監視装置側に警報が速やかに表示されるように以下の動作をする。
【００２４】
図３に無線通信している場合のデータの一例を示す。図３（ａ）の例は、図１に示す監視端末５１８、５１４、５１０から送信される無線データを示す。無線通信では、監視端末５１０のデータは、監視端末５１４、５１８を経由して届くため、中継装置４０５が受信するデータは、図３（ａ）のように、監視端末５１８、５１４、５１０のデータが直列に接続されて送信されてくる。各監視端末のデータは、「無線装置使用データ」、「警報状態データ」、「日報データ」からなる。ここで、「無線装置使用データ」は無線装置が無線通信するために付けるデータであり、「日報データ」は、１日１回の、日報取得時に送信されるデータである。「日報データ」は容量が大きいため、１回の通信では全て送信されず、ブロックにわけて数回の通信で送信される。
【００２５】
警報状態データは、図４のように変化する。警報が発生しても、警報が復旧しても、警報状態が変化すると、警報状態データは「前回値＋１」の値を取る。このデータは監視端末側が作り、中継装置はその変化を検出して、警報状態に変化があったことを検出する。
【００２６】
図５に中継装置のプログラムのフローチャートの一例を示す。中継装置は日報データを取得している間、監視端末からの警報状態データに変化があるかどうかをチェックし（ステップ７０１）、変化があれば、監視端末に対して現在値データを要求し（ステップ７０２）、現在値データを受信する（ステップ７０３）。そして、日報データ受信を継続（次の日報データを受信）し（ステップ７０４）、終了か判断し（ステップ７０５）、ステップ７０１に戻る、又は終了となる。現在値データの中には、警報データも含め、監視対象のリアルタイムのデータがあるため、警報の発生状況がわかる。中継装置が現在値データを要求して監視端末５１８が現在値を送信する時のデータの一例を図３（ｂ）に示す。
【００２７】
図６に監視端末側のプログラムのフローチャートの一例を示す。日報データを送信している最中に監視対象に警報の発生や復旧等の状態の変化がなければ、日報データを送信し続ける（ステップ７１０）。警報の発生や復旧等の状態の変化があった場合、警報状態データの値を＋１し（ステップ７１１）、中継装置に警報の変化があったことを知らせる。現在値データの要求がなければ、日報データ送信を継続（次の日報データブロックを送信）し（ステップ７１４）、ステップ７１２に戻る。中継装置から現在値データの要求があれば、日報データの送信を一時やめて現在値データを送信し（ステップ７１２、７１３）、日報データ送信を継続（次の日報データブロックを送信）し（ステップ７１５）、ステップ７１０に戻る、又は終了となる。
【００２８】
以上実施例で説明したように、無線通信において通信時間がかかる日報データの通信中に警報が発生しても、すみやかに警報データを取得することができ、監視装置に警報内容を表示することができる。これにより監視対象で発生した警報にすばやく対応することができる。これにより無線を使用しながら、監視システムの応答性を良くすることができる。
【実施例２】
【００２９】
実施例２を説明する。本実施例の監視システムは、実施例１のシステムと比較し、日報取得中に監視装置の操作員がある監視対象設備の現在値を見ようとした時は、中継装置は日報取得に割り込んで現在値を取得し、現在値表示の操作が終了してから日報取得に戻る機能も持つ点で相違する。本実施例のシステム構成は、図１に示す実施例１と同様とすることができる。
【００３０】
監視装置１０２は、中継装置４０２、・・・に対して監視対象の設備の現在値データを監視端末５０２、・・・から受信するよう指示する手段を有しており、例えば日報取得中に監視装置１０２の操作員が制御操作をした場合にも、日報取得に割り込んで制御操作に入ることができる。この手段は、コンピュータ・ソフトウエアで実現することができる。
【００３１】
中継装置４０２、・・・は、監視端末５０２、・・・から受信した日常データ中に混在した警報状態を示すデータの変化を検出する手段と、警報状態を示すデータの変化を検出し又は監視装置１０２からの指示を受けて監視端末５０２、・・・に対して現在値データを送信するよう指示する手段と、監視端末５０２、・・・から受信した現在値データを監視装置１０２に送信する手段とを有する。これらの手段は、コンピュータ・ソフトウエアで実現することができる。
【００３２】
実施例２における中継装置の動作の一例を説明する。日報取得中の現在値の取得について説明する。図７にフローチャートの一例を示す。中継装置は、日報データを取得している間、操作員の現在値取得操作があるかどうかをチェックし（ステップ７２０）、操作があれば、監視端末に対して現在値データを要求し（ステップ７２１）、現在値データを受信する（ステップ７２２）。そして、日報データ受信を継続（次の日報データを受信）し（ステップ７２３）、終了か判断し（ステップ７２４）、ステップ７２０に戻る、又は終了となる。このようにして、中継装置は、日報取得中の現在値の取得の動作を行うことができる。
【００３３】
次に、日報取得中の制御操作について説明する。図８にフローチャートの一例を示す。中継装置は、日報データを取得している間、操作員の現在値制御操作があるかどうかをチェックし（ステップ７３０）、操作があれば、監視端末に対して制御データを送信し（ステップ７３１）、制御の結果を受信する（ステップ７３２）。そして、日報データ受信を継続（次の日報データを受信）し（ステップ７３３）、終了か判断し（ステップ７３４）、ステップ７３０に戻る、又は終了となる。このようにして、中継装置は、日報取得中の制御操作の動作を行うことができる。
【図面の簡単な説明】
【００３４】
【図１】実施例１、２の監視システム全体の構成を示す。
【図２】実施例１の監視装置、中継装置、監視端末のブロック図を示す。
【図３】実施例１における無線通信のデータの一例を示す。
【図４】実施例１における警報状態データが警報の発生と復旧ごとに取る値の一例を示す。
【図５】実施例１における中継装置のプログラムの日報取得中の動作のフローチャートの一例を示す。
【図６】実施例１における監視端末のプログラムの日報取得中の動作のフローチャートの一例を示す。
【図７】実施例２における中継装置プログラムの日報取得中に現在値を取得する場合のフローチャートの一例を示す。
【図８】実施例２における中継装置プログラムの日報取得中に制御動作をする場合のフローチャートの一例を示す。
【符号の説明】
【００３５】
１００、１０１  監視クライアント
１０２  監視装置
１０３、４０１  メディアコンバータ
１１０、４１０、５１０  制御部
１１１、４１１、４１３、５１１  通信制御部
１１２、４１２、５１２  記憶部
１１３  表示部
１１４  入力部
２００  インターネット
２０１  メール通報
３００  通信ケーブル
４０２、４０５、・・・  中継装置
４０３、４０６、・・・、５０１、５０５、・・・  無線装置
５０２、５０６、・・・  監視端末
５０３、５０７、・・・  入出力装置
５０４、５０８、・・・  監視対象
５１３  設備監視部
【図１】
2006033491.tif 000003
【図２】
2006033491.tif 000004
【図３】
2006033491.tif 000005
【図４】
2006033491.tif 000006
【図５】
2006033491.tif 000007
【図６】
2006033491.tif 000008
【図７】
2006033491.tif 000009
【図８】
2006033491.tif 000010